(57)【要約】【課題】十分な締付け力を加えることが可能で、かつ締付けた後の状態では一般的な工具での取り外しが容易でなく、かつ比較的低コストで製造することができるナット、ボルト及び締付け部材、並びにナット又はボルトと締付け部材を含む締付け具を提供する。【解決手段】ねじ孔の中心軸を挟んで互いに反対側に位置する外側面３の少なくとも一方が、上面から底面に向かって前記中心軸から離れるように傾斜し、かつ上面に嵌合凹部６を有することを特徴とするナット１である。ナット１の嵌合凹部６に対応する嵌合凸部１６を有する底部と、中心軸に対して略平行な外側面１３とを有し、外側面１３の、中心軸に垂直な断面形状が、各々２点以上と接する２本の略平行な外接線を描ける形状である締付け部材１０である。ナット１と締付け部材１０とを含み、嵌合凹部６と嵌合凸部１６により分離可能に嵌合する締付け具２０である。【選択図】  図４
2004211762.tif 000002
【特許請求の範囲】
【請求項１】
ナットと締付け部材とを含む締付け具であって、
前記ナットが、上面と、底面と、前記上面と底面との外周をつなぐ外側面と、上面から底面まで貫通するねじ孔を形成する内側面とを備え、前記ねじ孔の中心軸を挟んで互いに反対側に位置する外側面の少なくとも一方が、上面から底面に向かって前記中心軸から離れるように傾斜し、かつ前記上面に嵌合凹部を有し、前記締付け部材が、前記嵌合凹部に対応する嵌合凸部を有する底部と、締付け部材の中心軸に対して略平行な外側面とを有し、前記外側面の前記中心軸に垂直な断面形状が、各々２点以上と接する２本の略平行な外接線を描ける形状であり、
前記ナットと前記締付け部材とが、前記嵌合凹部と嵌合凸部により分離可能に嵌合しうることを特徴とする締付け具。
【請求項２】
前記ナットにおいて、前記ねじ孔の中心軸を挟んで互いに反対側に位置する外側面の両方が、上面から底面に向かって前記中心軸から離れるように傾斜している請求項１に記載の締付け具。
【請求項３】
前記ねじ孔の中心軸に垂直な断面において、ナットの外周形状が円形状である請求項１又は２に記載の締付け具。
【請求項４】
上面と、底面と、前記上面と底面との外周をつなぐ外側面と、上面から底面まで貫通するねじ孔を形成する内側面とを備えるナットであって、前記ねじ孔の中心軸を挟んで互いに反対側に位置する外側面の少なくとも一方が、上面から底面に向かって前記中心軸から離れるように傾斜し、かつ前記上面に嵌合凹部を有することを特徴とするナット。
【請求項５】
前記ねじ孔の中心軸を挟んで互いに反対側に位置する外側面の両方が、上面から底面に向かって前記中心軸から離れるように傾斜している請求項４に記載のナット。
【請求項６】
前記ねじ孔の中心軸に垂直な断面において、ナットの外周形状が円形状である請求項４又は５に記載のナット。
【請求項７】
前記嵌合凹部を覆うカバー部材を備える請求項４〜６の何れか１項に記載のナット。
【請求項８】
請求項４〜６の何れか１項に記載のナットの嵌合凹部に対応する嵌合凸部を有する底部と、中心軸に対して略平行な外側面とを有する締付け部材であって、前記外側面の前記中心軸に垂直な断面形状が、各々２点以上と接する２本の略平行な外接線を描ける形状である締付け部材。
【請求項９】
ボルトと締付け部材とを備える締付け具であって、
前記ボルトがねじ部とヘッド部とを有し、前記ヘッド部が、上面と、底面と、前記上面と底面との外周をつなぐ外側面とを備え、前記ねじ部の中心軸を挟んで互いに反対側に位置する外側面の少なくとも一方が、上面から底面に向かって前記中心軸から離れるように傾斜し、かつ前記上面に嵌合凹部を有し、
前記締付け部材が、前記嵌合凹部に対応する嵌合凸部を有する底部と、締付け部材の中心軸に対して略平行な外側面とを有し、前記外側面の前記中心軸に垂直な断面形状が、各々２点以上と接する２本の略平行な外接線を描ける形状であり、
前記ボルトと前記締付け部材とが、前記嵌合凹部と嵌合凸部により分離可能に嵌合しうることを特徴とする締付け具。
【請求項１０】
前記ヘッド部において、前記ねじ部の中心軸を挟んで互いに反対側に位置する外側面の両方が、上面から底面に向かって前記中心軸から離れるように傾斜している請求項９に記載の締付け具。
【請求項１１】
前記ねじ部の中心軸に垂直な断面において、ヘッド部の外周形状が円形状である請求項９又は１０に記載の締付け具。
【請求項１２】
ねじ部とヘッド部とを有し、前記ヘッド部が、上面と、底面と、前記上面と底面との外周をつなぐ外側面とを備えるボルトであって、前記ねじ部の中心軸を挟んで互いに反対側に位置する外側面の少なくとも一方が、上面から底面に向かって前記中心軸から離れるように傾斜し、かつ前記上面に嵌合凹部を有することを特徴とするボルト。
【請求項１３】
前記ヘッド部において、前記ねじ部の中心軸を挟んで互いに反対側に位置する外側面の両方が、上面から底面に向かって前記中心軸から離れるように傾斜している請求項１２に記載のボルト。
【請求項１４】
前記ねじ部の中心軸に垂直な断面において、ヘッド部の外周形状が円形状である請求項１２又は１３に記載のボルト。
【請求項１５】
前記嵌合凹部を覆うカバー部材を備える請求項１２〜１４の何れか１項に記載のボルト。
【請求項１６】
請求項１２〜１４の何れか１項に記載のボルトの嵌合凹部に対応する嵌合凸部を有する底部と、中心軸に対して略平行な外側面とを有する締付け部材であって、前記外側面の前記中心軸に垂直な断面形状が、各々２点以上と接する２本の略平行な外接線を描ける形状である締付け部材。
【発明の詳細な説明】
【０００１】
【発明の属する技術分野】本発明は、ナット、ボルト及び締付け部材、並びにナット又はボルトと締付け部材とを含む締付け具に関し、特に自動販売機などの盗難防止用に有効に用いることができるナット、ボルト及び締付け部材、並びに締付け具に関する。
【０００２】
【従来の技術】従来、自動販売機などの機器を屋外に設置する場合には、例えばアンカーボルトを設置し、これにナットを用いてこれらの機器を固定する場合が多い。また、機器の種類や設置場所によってはボルトを用いて固定する場合もある。しかし、通常のナットやボルトを使用すると、一般的な工具で取り外しが可能であるため、屋外に設置する機器の場合、盗難等の問題がある。
【０００３】このような盗難を防止するため、例えば多角形又は任意の非円弧状の外輪郭を有するボルトのヘッド部及びナットであって、前記外輪郭の面が上方から下方に向かって広がり傾斜する傾斜面からなるボルト及びナットが提案されており、この傾斜面に面接触する専用締結工具を使用して締付け、解除を行うことが提案されている（特許文献１参照）。
【０００４】しかし、傾斜面に面接触させる場合には、ナットやボルトに十分な締付け力を加えにくくなる。更に、専用締結工具は特殊形状をしたものとなり、その製造にはコストがかかる。
【０００５】
【特許文献１】
特開２０００−２０５２２５号公報
【０００６】
【発明が解決しようとする課題】本発明その目的は、十分な締付け力を加えることが可能で、かつ締付けた後の状態では一般的な工具での取り外しが容易でなく、かつ比較的低コストで製造することができるナット、ボルト及び締付け部材、並びにナット又はボルトと締付け部材を含む締付け具を提供することにある。
【０００７】
【課題を解決するための手段】本発明は、上面と、底面と、前記上面と底面との外周をつなぐ外側面と、上面から底面まで貫通するねじ孔を形成する内側面とを備えるナットであって、前記ねじ孔の中心軸を挟んで互いに反対側に位置する外側面の少なくとも一方が、上面から底面に向かって前記中心軸から離れるように傾斜し、かつ前記上面に嵌合凹部を有することを特徴とするナット；  前記ナットの嵌合凹部に対応する嵌合凸部を有する底部と、中心軸に対して略平行な外側面とを有する締付け部材であって、前記外側面の前記中心軸に垂直な断面形状が、各々２点以上と接する２本の略平行な外接線を描ける形状である締付け部材；  及び前記ナットと前記締付け部材とを含み、前記嵌合凹部と嵌合凸部により分離可能に嵌合する締付け具を提供するものである。
【０００８】本発明のナットにおいて、前記ねじ孔の中心軸を挟んで互いに反対側に位置する外側面の両方が、上面から底面に向かって前記中心軸から離れるように傾斜していることが好ましく、前記ねじ孔の中心軸に垂直な断面において、ナットの外周形状が円形状であることも好ましい。また、本発明のナットは前記嵌合凹部を覆うカバー部材を備えることも好ましい。
【０００９】本発明は第２にねじ部とヘッド部とを有し、前記ヘッド部が、上面と、底面と、前記上面と底面との外周をつなぐ外側面とを備えるボルトであって、前記ねじ部の中心軸を挟んで互いに反対側に位置する外側面の少なくとも一方が、上面から底面に向かって前記中心軸から離れるように傾斜し、かつ前記上面に嵌合凹部を有することを特徴とするボルト；  前記嵌合凹部に対応する嵌合凸部を有する底部と、中心軸に対して略平行な外側面とを有する締付け部材であって、前記外側面の前記中心軸に垂直な断面形状が、各々２点以上と接する２本の略平行な外接線を描ける形状である締付け部材；  及び前記ボルトと前記締付け部材とを含み、前記嵌合凹部と嵌合凸部により分離可能に嵌合する締付け具を提供するものである。
【００１０】本発明のボルトのヘッド部において、前記ねじ部の中心軸を挟んで互いに反対側に位置する外側面の両方が、上面から底面に向かって前記中心軸から離れるように傾斜していることが好ましく、前記ねじ部の中心軸に垂直な断面において、ヘッド部の外周形状が円形状であることも好ましい。また、本発明のボルトは前記嵌合凹部を覆うカバー部材を備えることも好ましい。
【００１１】
【発明の実施の形態】以下、本発明の、締付け具、ナット、ボルト及び締付け部材を具体的な実施形態に基づき詳細に説明するが、本発明は以下の実施形態に限定されるものではない。
【００１２】本発明のナット１は、図１（ａ）、（ｂ）に示すように、上面４と、底面５と、上面４と底面５との外周をつなぐ外側面３と、上面４から底面５まで貫通するねじ孔７を形成する内側面２とを備える。本発明のナット１の重要な特徴は、ねじ孔７の中心軸を挟んで互いに反対側に位置する外側面３ａ、３ｂの少なくとも一方が上面４から底面５に向かって中心軸から離れるように傾斜していること、及び上面４に嵌合凹部６を有することである。
【００１３】外側面３ａ、３ｂの少なくとも一方が上述のように傾斜していることにより、スパナなどの一般的な工具でこのナットを回すことが困難となる。そして、上面４に嵌合凹部を有することにより、後述する締付け部材１０をナット１の上面に嵌合させることができ、スパナなどの一般的な工具で締付け部材１０を回すことによりナット１の締付け、取り外しが可能となる。
【００１４】一般的な工具での取り外しをより困難にするためには、中心軸を挟んで互いに反対側に位置する外側面３ａ、３ｂの両方が上面４から底面５に向かって中心軸から離れるように傾斜していることが好ましく、外側面３ａ、３ｂが常にこのように傾斜していることが好ましい。この傾斜は、一定である必要はないが、図１（ｂ）に示す外側面の中心軸に対する傾斜角αは、３０〜５０°の範囲にあることが好ましい。また、傾斜角αが常に一定であり、中心軸を挟んで互いに反対側に位置する外側面３ａ、３ｂの両方の傾斜角が等しい形状が好ましく、更に断面外周形状が台形状であることが取り外しにくくするという観点から好ましい。
【００１５】本発明における、ねじ孔７の中心軸に垂直な断面において、ナット１の外周形状が円形状であることが、更に取り外しにくくするという観点から好ましい。このように外側面に傾斜を設け、更に円形の外周とすることにより、スパナなどで取り外すことを非常に困難にすることができる。
【００１６】次に図２（ａ）〜（ｄ）、図３（ａ）〜（ｃ）に基づいて、本発明の締付け部材の説明をする。本発明の締付け部材１０は、上述したナットの嵌合凹部６に対応する嵌合凸部１６を有する底部１５と、中心軸に対して略平行な外側面１３とを有する。そして外側面１３の、中心軸に垂直な断面形状が、各々２点以上と接する２本の略平行な外接線を描ける形状である。
【００１７】締付け部材１０がその底部１５に嵌合凸部１６を有することにより、上述のナットと嵌合させることがでる。そして、中心軸に垂直な断面形状が各々２点以上と接する２本の略平行な外接線を描ける形状であり、中心軸に略平行な外側面１３によって、スパナなどで容易に中心軸を中心に回転させることが可能となり、締付け部材と共にナットを回転させ、ナットの締付け及び取り外しが容易にできるようになる。ここで、締付け部材の中心軸とは、締付け部材をナットに嵌合して回転させる際の回転中心を意味する。また、中心軸に対して略平行とは、スパナやレンチなどの一般的な工具で外側面を把持して中心軸を中心に回転させられる程度であれば平行から若干ずれているものも含み、実質的に平行であることを意味するが、平行であることが好ましい。
【００１８】ナットの嵌合凹部６及び締付け部材の凸部１６は、嵌合し得るように互いに対応する形状を有していればその形状や数に特に制限はない。嵌合部には、中心軸を中心とした回転方向に力が加わるため、この方向に対して嵌合が外れにくい嵌合部の形状であることが好ましく、例えば円柱状や多角柱状の嵌合凸部を締付け部材が有し、これに対応する嵌合凹部をナットが有することが好ましい。嵌合凸部１６と嵌合凹部６の数は、好ましくは各々２以上であり、中心軸に対して対称の位置に配置されることが中心軸を中心にした回転を容易にする観点から好ましい。
【００１９】外側面１３の断面形状は、各々２点以上と接する２本の略平行な外接線を描ける形状であるが、例えば、図２（ｂ）に示すように、外周面１３と接する２本の外側線を描けるような多角形、図２（ｃ）に示すようなレーストラック形状の他、図２（ｄ）に示すように外周面上の２点と各々接する２本の平行な外側線を描ける形状等が挙げられる。この形状は、スパナ等、少なくとも２つの平行な面で構成される把持部を有する工具で把持し中心軸を中心に容易に回転させることができる形状を意味し、略平行とは、２つの平行な面で把持し、回転させられる程度に実質的に平行なことを意味するが、平行であることが好ましい。好ましい断面形状は、多角形であり、特に正六角形などの正多角形が好ましい。また、図３（ａ）〜（ｃ）に示すように、外側面１３ａの断面形状が凸角頂点と凹角頂点とを交互につなげた多角形状も、めがねレンチ等に対応した形状として好ましい形状である。
【００２０】また、ナット用の締付け部材としては、図３（ａ）〜（ｃ）に示すように、中心に貫通孔１７を有する筒状であることも雄ねじ部を貫通させて締付けることができるため好ましい。なお、外側面１３は、中心軸に略平行で、中心軸に垂直な断面形状が、各々２点以上と接する２本の略平行な外接線を描ける形状の部分１３ａを有していれば、図３（ａ）〜（ｃ）に示すように、このような形状ではない部分１３ｂを有していても良い。
【００２１】本発明の締付け具２０は、上述のナット１と締付け部材１０とを組み合わせて含むものであり、図４に示すように、ナット１の嵌合凹部６と締付け部材１０の嵌合凸部１６により分離可能に嵌合し得るものである。この組合せにより、一般的な工具を用いてナット１を雄ねじ４０に容易に締付けることができ、締付けた後は、図５に示すように、締付け部材を取り外すことにより、ナット１は容易に取り外すことができなくなり、盗難防止に有効となる。また、このようなナットと締付け部材の形状は、比較的単純かつコンパクトであるため、比較的低コストで製造することができる。
【００２２】次に本発明のボルト３０は、図６に示すように、ねじ部３２とヘッド部３１とを有する。本発明のボルトは、内側面２の替わりにねじ部３２を有することを除いて、本発明のナットと同様の特徴を有する。即ち、上述のナットと同様に傾斜した外側面３３と、嵌合凹部３６とを有し、上述のナットと同様の技術的効果を有する。また、ボルト用の締付け部材も上述のナット用締付け部材と同様の特徴を有し、同様の技術的効果を有する。なお、ナット及びナット用の締付け部材に好ましい形態は、ボルト及びボルト用の締付け部材にも好ましい形態である。但し、ボルト用締付け部材において、中空の筒状であることは特に好ましい形態ではないが、ナット用との共用という観点からは中空の筒状であっても良い。ボルト及び締付け部材とを備える締付け具も、ボルトとナットの違いを除いて、上述の締付け具と同様の特徴及び効果を有する。
【００２３】本発明のナット、ボルト及び締付け具の材質に特に制限はないが、金属であることが好ましく、特にスチール又はステンレススチールであることが好ましい。スチールの場合には、腐食防止等のために表面にメッキ処理がされていることが好ましい。なお、ステンレスは、より耐食性が求められる用途に好適であり、メッキ処理したスチールはコストが重視される用途に好適である。
【００２４】本発明のナット又はボルトは、図７（ａ）、（ｂ）に示すように、凹部を覆うカバー部材４２を備えることが好ましい。このカバー部材４２を、ナット又はボルトの締付け後にナット又はボルトの上面に配置することにより、凹部にごみや砂などが侵入することを防止し、ナット又はボルトの取り外し時に、締付け部材を容易に嵌合することができる。カバー部材は、ナット等の上面に配置した状態では固定され、かつ比較的容易に取り外しができるように、ナット等の上面と接触するカバー部材の面に接着剤を備えていることが好ましい。カバー部材は、ナット等の凹部を覆うことができればその形状に制限はないが、板状であることが好ましく、ナット等の上面に対応した形状であって、ナット等の上面の外周と同等又はこれより若干大きな外周形状であることが好ましい。また、カバー部材の材質に得に制限はないが、プラスチックであることがコストと機能の関係から好ましい。
【００２５】
【発明の効果】以上説明してきたとおり、本発明のナット又はボルトは締付け部材と嵌合させることにより、市販の工具で容易に締付け、取り外しができ、締付け部材を外すことにより、市販の工具では容易に取り外すことができなくなる。従って、本発明のナット、ボルト及び締付け部材、並びにナット又はボルトと締付け部材とを含む締付け具は、盗難防止に有効であり、自動販売機等、屋外に設置される機器の固定に有用である。
【図面の簡単な説明】
【図１】（ａ）は本発明に係るナットの一形態を示す模式的な上面図、（ｂ）はそのｂ−ｂ断面図である。
【図２】（ａ）は、本発明に係る締付け部材の一形態を示す模式的な正面図、（ｂ）はその底面図、（ｃ）は本発明に係る締付け部材の別の一形態を示す断面図、（ｄ）は本発明に係る締付け部材の更に別の一形態を示す断面図である。
【図３】（ａ）は、本発明に係る締付け部材の更に別の一形態を示す模式的な正面図、（ｂ）はその底面図、（ｃ）はその上面図である。
【図４】本発明に係る締付け具の使用形態の一例を示す模式的な正面図である。
【図５】本発明に係るナットの使用形態の一例を示す模式的な正面図である。
【図６】本発明に係るボルトの一形態を示す模式的な正面図である。
【図７】（ａ）は、本発明に係るナットの一形態を示す模式的な断面図、（ｂ）は本発明に係るカバー部材の一形態を示す模式的な上面図である。
【符号の説明】
１…ナット、２…ナットの内側面、３、３ａ、３ｂ…ナットの外側面、４…ナットの上面、５…ナットの底面、６…嵌合凹部、７…ねじ孔、１０…締付け部材、１３、１３ａ、１３ｂ…締付け部材の外側面、１５…締付け部材の底面、１６…嵌合凸部、１７…貫通孔、２０…締付け具、３０…ボルト、３１…ヘッド部、３２…ねじ部、３３…ボルトの外側面、３６…嵌合凹部、４０…雄ねじ、４２…カバー部材。
【図１】
2004211762.tif 000003
【図２】
2004211762.tif 000004
【図３】
2004211762.tif 000005
【図４】
2004211762.tif 000006
【図５】
2004211762.tif 000007
【図６】
2004211762.tif 000008
【図７】
2004211762.tif 000009